(57)【特許請求の範囲】
【請求項１】
書籍のページが開かれた状態を保持するブックストッパーであって、
左右に開閉可能なページ押さえ部を備えた本体部と、
該本体部を前記書籍に取り付ける支持部と、
前記本体部を引っ張ることにより前記ページ押さえ部を拡げて前記ページが開かれた箇所の左右のページを押さえさせる引張部材と、
該引張部材を前記書籍に係留して前記ページ押さえ部で前記左右のページが押さえられた状態を保持する係留部と、
を有する、ブックストッパー。
【請求項２】
前記支持部は、前記ページが開かれた箇所の左右において、開かれた箇所以外のページの間及び／又は表紙とページの間に挟まれて前記本体部を支持する少なくとも一対の挟持部を有する、請求項１に記載のブックストッパー。
【請求項３】
前記支持部は、前記書籍に装着されるブックカバーである、請求項１に記載のブックストッパー。
【請求項４】
前記本体部と前記支持部が一体に形成されている、請求項１から３までのいずれか１項に記載のブックストッパー。
【請求項５】
前記本体部は前記支持部と別個に形成され、前記支持部に取り付けて使用される、請求項１から３までのいずれか１項に記載のブックストッパー。
【請求項６】
前記ページ押さえ部は、前記本体部の前記ページ押さえ部以外の部分よりも強度が大きい補強材で補強されている、請求項１から５までのいずれか１項に記載のブックストッパー。
【請求項７】
前記引張部材及び前記係留部は前記本体部と一体に形成されている、請求項１から６までのいずれか１項に記載のブックストッパー。
【請求項８】
書籍のページが開かれた状態を保持するブックストッパーを作製するための材料であって、
左右に開閉可能なページ押さえ部を備えた本体部を構成する部分と、
該本体部を前記書籍に取り付ける支持部を構成する部分と、
前記本体部を引っ張ることにより前記ページ押さえ部を拡げて前記ページが開かれた箇所の左右のページを押さえさせる引張部材を構成する部分と、
該引張部材を前記書籍に係留して前記ページ押さえ部で前記左右のページが押さえられた状態を保持する係留部を構成する部分と、
を有する、ブックストッパーの作製用材料。
【請求項９】
前記支持部を構成する部分は、前記ページが開かれた箇所の左右において、開かれた箇所以外のページの間及び／又は表紙とページの間に挟まれて前記本体部を支持する少なくとも一対の挟持部を構成する部分を有する、請求項８に記載のブックストッパーの作製用材料。
【請求項１０】
前記本体部を構成する部分と前記支持部を構成する部分が一体に形成されている、請求項８又は９に記載のブックストッパーの作製用材料。
【請求項１１】
前記引張部材を構成する部分及び前記係留部を構成する部分は、前記ブックストッパーを作製する過程において前記本体部を構成する部分及び／又は前記支持部を構成する部分に取り付けられる、請求項８から１０までのいずれか１項に記載のブックストッパーの作製用材料。
【請求項１２】
前記ページ押さえ部を構成する部分は、前記本体部を構成する部分の前記ページ押さえ部以外の部分よりも強度が大きい補強材で補強されている、請求項８から１１までのいずれか１項に記載のブックストッパーの作製用材料。
【請求項１３】
前記引張部材を構成する部分及び前記係留部を構成する部分は前記本体部と一体に形成されている、請求項８から１２までのいずれか１項に記載のブックストッパーの作製用材料。
【発明の詳細な説明】
【発明の詳細な説明】
【技術分野】
【０００１】  本発明は、書籍のページが開かれた状態を保持するためのブックストッパーに関し、特に、ページ押さえ効果が大きく安定して使用でき、作製が容易で、しおりの役割もするブックストッパーに関する。【０００２】  本明細書及び特許請求の範囲において、「書籍」とは、単行本や文庫本等の書物、論文、雑誌、カタログ、パンフレット等の一冊に製本されたものに限られず、例えば、複数枚の書類がルーズリーフやバインダに着脱可能にまとめられたファイル等の、製本されていないものも含まれる。
【背景技術】
【０００３】  書籍のページを開かれた状態に保持するためのページ押さえ具（ブックストッパー）として、様々な態様のものが知られている。例えば、特許文献１に記載されたページホルダーは、しおりをも兼ねており、ページを上から押さえる透明プラスチック（アクリル樹脂等）製の本体、表紙を下から押さえる樹脂製の下側部品、及び両者を接続する板バネ、の各部材から構成されている。【０００４】  しかし、このページホルダーは板バネを用いてその付勢力により透明なアクリル樹脂板でページを押さえる方式をとっている。すなわち、板バネにはステンレス等の金属、押さえ板には透明プラスチック等の樹脂を用いる必要があり、部品の素材が限定されてしまう。また、これらの素材からなる部品は安価なものではなく、製品としてコスト高になる。【０００５】  また、特許文献２に記載された書籍保持具は、螺旋形状又はコの字形状の把持部と、把持部から直線状に延びた押圧部とを一体に構成したものである。この書籍保持具は、把持部で開いた書籍の数ページを挟み、綴じ目の反対側に押圧部が位置するように装着される。そして、反対側のページを押圧部で押さえて、書籍を開いた状態に保持するとしている。
【先行技術文献】
【特許文献】
【０００６】
【特許文献１】実用新案登録第３２０４９５１号
【特許文献２】特開２００９−０６７０３６号公報
【発明の概要】
【発明が解決しようとする課題】
【０００７】  しかしながら、この書籍保持具は、把持部と押圧部とが１つずつの非対称構造を有している。そして、開かれた書籍の一方の側を把持部で挟み、他方の側のページのみを押圧部で押さえて使用される。このような構造では左右にかかる力が不均一となり、片方だけの押圧部でページが閉じようとする力を押さえるには、厚くて強度のある樹脂や金属等の剛性材料で押圧部を作製する必要がある。【０００８】  また、この書籍保持具は、開かれた片側の数ページを把持部で挟んで保持されるが、挟むことができる厚さには限界がある。このため書籍を読み進んで挟まれるページ数が限界を超えるたびに把持部を装着し直す必要があり、操作性が悪い。さらに、把持部が螺旋形状を有しており一体品として作製する実際の方法が明らかでなく、製造が事実上困難であるか、可能であるとしても工程が複雑になるという問題点があった。【０００９】  本発明は、このような問題点に鑑みてなされたものであって、書籍の開かれた箇所にセットするだけで開かれた状態を確実に保持することができ、読み進む際の操作性にも優れ、種々の材料で容易に製造することができる、しおり兼用のブックストッパーを提供することを目的とする。
【課題を解決するための手段】
【００１０】  上記の目的を達成するために、本発明に係るブックストッパーは、
書籍のページが開かれた状態を保持するブックストッパーであって、
左右に開閉可能なページ押さえ部を備えた本体部と、
該本体部を前記書籍に取り付ける支持部と、
前記本体部を引っ張ることにより前記ページ押さえ部を拡げて前記ページが開かれた箇所の左右のページを押さえさせる引張部材と、
該引張部材を前記書籍に係留して前記ページ押さえ部で前記左右のページが押さえられた状態を保持する係留部と、
を有する。【００１１】  前記支持部は、前記ページが開かれた箇所の左右において、開かれた箇所以外のページの間及び／又は表紙とページの間に挟まれて前記本体部を支持する少なくとも一対の挟持部を有することが好ましい。【００１２】  前記支持部は、前記書籍に装着されるブックカバーであることが好ましい。【００１３】  前記本体部と前記支持部が一体に形成されていることが好ましい。【００１４】  前記本体部は前記支持部と別個に形成され、前記支持部に取り付けて使用されることが好ましい。【００１５】  前記ページ押さえ部は、前記本体部の前記ページ押さえ部以外の部分よりも強度が大きい補強材で補強されていることが好ましい。【００１６】  前記引張部材及び前記係留部は前記本体部と一体に形成されていることが好ましい。【００１７】  また、上記の目的を達成するために、本発明に係るブックストッパーの作製用材料は、
書籍のページが開かれた状態を保持するブックストッパーを作製するための材料であって、
左右に開閉可能なページ押さえ部を備えた本体部を構成する部分と、
該本体部を前記書籍に取り付ける支持部を構成する部分と、
前記本体部を引っ張ることにより前記ページ押さえ部を拡げて前記ページが開かれた箇所の左右のページを押さえさせる引張部材を構成する部分と、
該引張部材を前記書籍に係留して前記ページ押さえ部で前記左右のページが押さえられた状態を保持する係留部を構成する部分と、
を有する。【００１８】  前記支持部を構成する部分は、前記ページが開かれた箇所の左右において、開かれた箇所以外のページの間及び／又は表紙とページの間に挟まれて前記本体部を支持する少なくとも一対の挟持部を構成する部分を有することが好ましい。【００１９】  前記本体部を構成する部分と前記支持部を構成する部分が一体に形成されていることが好ましい。【００２０】  前記引張部材を構成する部分及び前記係留部を構成する部分は、前記ブックストッパーを作製する過程において前記本体部を構成する部分及び／又は前記支持部を構成する部分に取り付けられることが好ましい。【００２１】  前記ページ押さえ部を構成する部分は、前記本体部を構成する部分の前記ページ押さえ部以外の部分よりも強度が大きい補強材で補強されていることが好ましい。【００２２】  前記引張部材を構成する部分及び前記係留部を構成する部分は前記本体部と一体に形成されていることが好ましい。
【発明の効果】
【００２３】  本発明に係るブックストッパーは上記の構成を有するため、書籍の開かれた箇所にセットするだけで開かれた状態を確実に保持できる。また、読み進む際には引張部材を外してページ押さえ部を新たに開かれた箇所にセットし直すだけでよく、さらに、引張部材を外してページ押さえ部を閉じればしおりとしても用いることができる。そして、このような構成を有するブックストッパーは、種々の材料で容易に作製できる。
【図面の簡単な説明】
【００２４】
【図１】本発明の実施例１に係るブックストッパーの全体構成を示す斜視図である。
【図２】実施例１に係るブックストッパーの作製用材料を示す平面図及び作製用材料の底面の一部を示す底面図である。
【図３】実施例１に係るブックストッパーを作製用材料から組み立てる方法を示す説明図である。
【図４】実施例１に係るブックストッパーを作製用材料から組み立てる方法を示す説明図である。
【図５】実施例１に係るブックストッパーの使用方法を説明する図である。
【図６】実施例１に係るブックストッパーの使用方法を説明する図である。
【図７】本発明の実施例２に係るブックストッパーの作製用材料を示す平面図である。
【図８】本発明の実施例３に係るブックストッパーの作製用材料を示す平面図である。
【図９】本発明の実施例４に係るブックストッパーの作製用材料の一部を示す平面図である。
【図１０】本発明の実施例５に係るブックストッパーの全体構成を示す斜視図である。
【図１１】本発明の実施例６に係るブックストッパーの作製用材料を示す平面図である。
【図１２】本発明の実施例７に係るブックストッパーの全体構成を示す斜視図である。
【発明を実施するための形態】
【００２５】  本発明に係るブックストッパーにおいては、左右に開閉可能なページ押さえ部を備えた本体部が支持部で書籍に取り付けられ、本体部が引張部材で引っ張られることによりページ押さえ部が拡げられて、ページが開かれた箇所の左右が押さえられる。そして、係留部で引張部材を書籍に係留することにより、ページが押さえられた状態が保持される。
【００２６】  本発明に係るブックストッパーの一実施形態においては、本体部は左右に開閉可能なページ押さえ部として、左右一対のページ押さえ部を備えている。これらの一対のページ押さえ部は、左右対称の形状を有している。ここで、ページ押さえ部は左右に拡げられて書籍の開かれた箇所のページを押さえるものであるから、左右に開閉可能であればよく、一対に限られず二対以上でもよい。また、左側に一のページ押さえ部を有し、右側に二のページ押さえ部を有する等、ページ押さえ部の左右の数が異なっていてもよい。さらに、ページ押さえ部は必ずしも左右対称の形状でなくてもよく、左右の形状や大きさが異なっていてもよい。
【００２７】  ブックストッパーの一実施形態においては本体部を支える支持部が一対の短冊状の挟持部を有しており、これらの挟持部がページの開かれた箇所の左右において開かれた箇所以外のページとページの間、又は表紙とページの間に挟まれて、書籍に取り付けられる。ここで、支持部を構成する挟持部は一対に限られず二対以上でもよく、左側に一の挟持部、右側に二の挟持部を有する等、左右の数が異なっていてもよい。挟持部の形状も短冊状や長方形以外にも任意の形状とすることができ、左右の挟持部が異なる形状や異なる大きさを有していてもよい。
【００２８】  また、ブックストッパーの他の実施形態においては、支持部が書籍に装着されるブックカバーとなっている。すなわち、左右に開閉可能なページ押さえ部を備えた本体部が、ブックカバーと一体化した構成を有する。一体化した構成としては、本体部が最初からブックカバーと一体に形成されてもよいし、本体部とブックカバーとを別々に作製して、本体部をブックカバーに取り付けてもよい。また、別々に作製された本体部とブックカバーとを接着して一体化してもよい。
【００２９】  本体部をブックカバーに取り付ける構成としては、取り付け部材を用いる方法、本体部をブックカバーに挟み込む方法等がある。取り付け部材としては、例えばクリップを用いて、本体部に固定された一以上のクリップでブックカバーを挟む方式等がある。また、マジックテープ（登録商標）を用いて、本体部の下端とブックカバーの上端にそれぞれマジックテープを固定して、これらのマジックテープを接合させることによって取り付ける方式としてもよい。
【００３０】  これらの取り付け部材は、本体部及びブックカバーに対して左右対称に固定されていることが、より好ましい。例えば、３個のクリップが本体部の中央下端に１個と左右に１個ずつ固定された構成や、４個のクリップが本体部下端の左右に２個ずつ固定された構成である。マジックテープ（登録商標）を取り付け部材とする場合は、本体部下端の中央とブックカバー上端の中央から左右に同じ長さとなるように固定する。これによって、本体部がブックカバーに対して取り付けられる力が左右均等となり、より強固に取り付けることができる。
【００３１】  また、本体部をブックカバーに挟み込む方法としては、本体部の左右に切り込みを入れ、切り込みから下の部分をブックカバーの左右に設けられる書籍の表紙を差し込むスリーブに差し込んで装着する方法がある。ブックカバーに書籍の表紙を装着する方式がスリーブ以外である場合や書籍の表紙を装着する部分の形状が異なる場合には、その形状に合わせて切り込みの位置や長さを変えればよい。
【００３２】  さらに、本体部とブックカバーとを接着して一体化する方法としては、接着剤を用いてもよく、本体部及びブックカバーを合成樹脂で作製して、熱融着により接着してもよい。
【００３３】  このように、別々に作製された本体部とブックカバーとをクリップやマジックテープ（登録商標）を用いて取り付ける方法、本体部をブックカバーの一部に差し込んで取り付ける方法、接着剤や熱融着により接着する方法を用いる場合には、市販のブックカバーを支持部として用いることができる。
【００３４】  本発明に係るブックストッパーの一実施形態においては、本体部と支持部が折り曲げ可能なシート状材料で一体に形成されている。折り曲げ可能なシート状材料は、ある程度の塑性変形性を有し、折り曲げた後にその形状を保つ素材であることが好ましい。このようなシート状材料としては、例えば折り紙や厚紙等の紙素材を用いることができる。或いは、紙素材以外に、塑性変形性を有する合成樹脂（プラスチック）板や合成樹脂シート等を用いることもできる。
【００３５】  また、後述するように、本体部のページ押さえ部が強度の大きい補強材で補強される場合には、シート状材料として保形性の小さい、柔らかい素材を用いることもできる。保形性の小さい柔軟性に富んだ材料を用いることで、本体部の作製が容易になり、またページ押さえ部を支持部に対して自在に屈曲させることができる。このような柔軟性のある材料としては、例えば織編物や不織布等の布材料や、柔軟性プラスチックフィルム等がある。
【００３６】  さらに、ブックストッパーの他の実施形態においては、本体部と支持部だけでなく、引張部材も一体に形成されている。引張部材と係留部とが一体となっている場合には、ブックストッパー全体が一体に形成されることになる。この実施形態においては、ブックストッパー又はブックストッパーの作製用材料を１の材料から一体に製造できるため、大量生産に適している。
【００３７】  ブックストッパーの一実施形態においては、本体部と支持部がシート状材料としての厚紙を素材として一体に形成されている。この実施形態においては、厚紙から所定の輪郭に沿って本体部と支持部とを一体に切り出し、折り曲げ加工することによって本体部の一部を左右に開閉可能なページ押さえ部とする。すなわち、平面の厚紙から切り出された本体部が、折り曲げ加工によって立体的な構造を有するページ押さえ部となる。このようにして、安価な素材である厚紙から容易にブックストッパーを作製することができる。
【００３８】  他の実施形態においては、シート状材料として模様付きの折り紙を用いて、折り紙から所定形状の本体部と支持部とを一体に切り出し、折り曲げ加工して立体的なページ押さえ部を形成する。この実施形態においては、安価な素材である折り紙から容易に、しかも折り紙の模様や色彩が全体に施されたブックストッパーが作製される。これによって、作製が容易なだけでなく、美観に富み優れた意匠性を有する、商品価値の高いブックストッパーとなる。
【００３９】  本発明に係るブックストッパーの一実施形態においては、ページ押さえ部が、本体部のうちページ押さえ部以外の部分と比較して、又はさらに支持部と比較して、強度が大きい補強材で補強されている。これによって、ページ押さえ部がより強固に書籍の開かれた箇所を押さえるため、ページ押さえ効果に優れたブックストッパーとなる。ここで、強度が大きい補強材としては、通常の厚紙よりも厚みや硬度の大きい厚紙や、プラスチック板（合成樹脂板）、金属板等を用いることができる。
【００４０】  補強の方法としては、本体部の素材が厚紙、折り紙、プラスチック板等のある程度の保形性を有する場合には、補強材を本体部のページ押さえ部の表面又は裏面に接着する方法がある。本体部の素材が布や軟性プラスチックフィルム等の薄くて柔らかい材料の場合には、補強材を表面又は裏面に接着する方法に加えて、２枚の柔軟性材料で補強材を包み込んで固定する方法によることもできる。具体的には、布材料の場合には、２枚の布でページ押さえ部に置いた補強材を挟み、周囲を縫糸で縫い付けて固定する。軟性プラスチックフィルムの場合には、２枚のフィルムでページ押さえ部に置いた補強材を挟み、周囲のフィルムを熱融着させて固定する。
【００４１】  本発明に係るブックストッパーのページ押さえ部は、用途に応じて任意の大きさ及び形状のものにできる。大判の書籍やページ数の多い分厚い書籍に用いる場合には、ページ押さえ部の面積を広くして押圧力を大きくすることが好ましい。ただし、上述したようにページ押さえ部が高強度の材料で補強されている場合には、ページ押さえ部の面積を小さく抑えられる。書籍のページが開かれた箇所がページ押さえ部で隠れて読みにくくなるのを防ぐためには、ページ押さえ部をできるだけ小さくすることが好ましい。この観点からも、上述したようにページ押さえ部を高強度の材料からなる補強材で補強して、小さいページ押さえ部で大きい押圧力を確保することが好ましい。
【００４２】  本発明に係るブックストッパーの一実施形態においては、ページ押さえ部が透明な材料で作製されている。透明な材料としては、透明な合成樹脂からなるプラスチック板やシート等が用いられる。透明な合成樹脂材料としては、アクリル樹脂、ポリエチレン樹脂、ポリプロピレン樹脂、ポリカーボネート樹脂、ポリ塩化ビニル樹脂等、の種々の合成樹脂がある。ページ押さえ部を透明な材料で作製する場合には、本体部全体及び支持部も同じ透明な材料で作製することが好ましい。また、前述したように支持部がブックカバーとなっている場合には、ブックカバーの材料として汎用される透明な塩化ビニル樹脂等を、ページ押さえ部及び本体部全体の材料とすることが好ましい。
【実施例】
【００４３】  以下、本発明に係るブックストッパー及びその作製用材料の実施例について、図面を参照して詳細に説明する。なお、これらの実施例は本発明をより具体的に説明するためのものであり、本発明の範囲は以下の実施例に記載された内容に限定されるものではない。
【実施例１】
【００４４】  まず、本発明に係るブックストッパーの実施例１について、図１から図６までを参照して説明する。【００４５】  図１は、本発明の実施例１に係るブックストッパーの全体構成を示す斜視図である。図１に示されるように、本実施例１のブックストッパー１０は、本体部１１と、支持部１３と、引張部材１４と、係留部１５とを有する。本体部１１と支持部１３とは紙材料である厚紙で一体に形成されており、本体部１１は左右一対のページ押さえ部１２Ａ、１２Ｂを備えている。【００４６】  このように一体に形成された本体部１１と支持部１３を作製するために、本体部１１及び支持部１３の輪郭に沿って切り出された厚紙が作製用材料として用いられる。この作製用材料の表面には、折り線１１ｂ、１１ｃ、１１ｄ、１１ｅ、１１ｆ、１３ｃ、１３ｄが描かれている。後述するように、これらの折り線に沿って作製用材料を折り曲げ加工することにより、本体部１１が立体的に作製される。作製用材料の外郭と折り線１１ｅ、１１ｆ、１３ｃ、１３ｄで囲まれた五角形の部分が、ページ押さえ部１２Ａ、１２Ｂを構成する。【００４７】  引張部材１４は、例えば複数本の合成繊維が束ねられた紐状の部材である。その一端は本体部１１の先端１１ａに固定され、他端は本体部１１に設けられた２つの貫通孔１２ｃ、１２ｄを通されて、前面に取り出されている。本実施例１のブックストッパー１０においては、引張部材１４を構成する紐状の部材の先端部分が、そのまま係留部１５としての役割を果たす。【００４８】  本体部１１と一体に形成された支持部１３は、一対の短冊形状の把持部１３Ａ、１３Ｂから構成されている。ブックストッパー１０の作製段階で、本体部１１と支持部１３を区画する複数本の折り線１３ｃ、１３ｄに沿って、複数の折目が付けられている。これにより、ブックストッパー１０の本体部１１は、支持部１３に対して、図１における手前側に屈曲自在となっている。【００４９】  このように構成されたブックストッパー１０は、図１に示されるように、書籍Ｂ０のページが開かれた箇所ＢＣの左右のページＢＬ、ＢＲより下のページの間に把持部１３Ａ、１３Ｂを挟むことにより、書籍Ｂ０に取り付けられる。そして引張部材１４を図１の下方に引っ張ると、本体部１１が屈曲して、ページ押さえ部１２Ａ、１２Ｂによって左右のページＢＬ、ＢＲが押さえつけられる。引張部材１４を引っ張りながら、引張部材１４の先端部分である係留部１５を書籍Ｂ０のページが開かれた箇所ＢＣの下端に食い込ませて係留すれば、書籍Ｂ０のページが開かれた状態を保持することができる。【００５０】  次に、本実施例１に係るブックストッパー１０を作製するための作製用材料について、図２を参照して説明する。図２（ａ）は実施例１に係るブックストッパー１０の作製用材料を示す平面図、図２（ｂ）は作製用材料の底面の一部を示す底面図である。【００５１】  図２（ａ）に示されるように、本実施例１のブックストッパーの作製用材料１１０は、板状材料１１０Ａと、引張部材１４及び係留部１５となる紐状材料１１０Ｂから構成される。板状材料１１０Ａは、五角形の輪郭を有する本体部を構成する部分１１１と、一対の把持部となる部分１１３Ａ、１１３Ｂを有す��支持部を構成する部分１１３とからなる。このように作製用材料１１０では板状材料１１０Ａと紐状材料１１０Ｂとを別個に形成しているが、後述する実施例２及び実施例３に示されるように、板状材料と引張部材を一体に形成することもできる。【００５２】  板状材料１１０Ａの表面には、折り線１１ｂ、１１ｃ、１１ｄ、１１ｅ、１１ｆ、１３ｃ、１３ｄが描かれている。破線で示される折り線１１ｃ、１１ｄ、１１ｅ、１１ｆは山折り線であり、一点鎖線で示される折り線１１ｂ、１３ｃ、１３ｄは谷折り線である。さらに、板状材料１１０Ａには、紐状材料１１０Ｂである引張部材１４を通すための２つの貫通孔１２ｃ、１２ｄが設けられている。【００５３】  また、図２（ｂ）に示されるように、板状材料１１０Ａの裏面には、表面と対応する折り線１１ｂ、１１ｃ、１１ｄ、１１ｅ、１１ｆ、１３ｃ、１３ｄが描かれている。当然ながら、裏面においては表面と逆に、折り線１１ｃ、１１ｄ、１１ｅ、１１ｆは谷折り線として一点鎖線で示され、折り線１１ｂ、１３ｃ、１３ｄは山折り線として破線で示されている。なお、図２（ｂ）におけるこれらの裏面の折り線は、必ずしも描かれていなくてもよい。【００５４】  ここで、板状材料１１０Ａは厚紙でできており、薄い紙や布地のように折目がない箇所でも自由に折り曲がるわけではない。そこで、図２（ａ）、（ｂ）に示されるように、本体部を構成する部分１１１と支持部を構成する部分１１３の間に、複数本の折り線１３ｃ、１３ｄに沿って複数の折目が付けられる。これにより、書籍Ｂ０のページが開かれた箇所に対して、支持部１３がどのような枚数と厚さのページを挟んで取り付けられた場合でも、図１に示されるように、本体部１１が支持部１３に対して自在に屈曲できる。【００５５】  次に、本実施例１に係るブックストッパー１０を作製する手順について、図３及び図４を参照して説明する。図３及び図４は、実施例１に係るブックストッパー１０を作製用材料１１０から組み立てる方法を示す説明図である。【００５６】  図３（ａ）に示されるように、まず板状材料１１０Ａの先端１１ａに、引張部材１４を構成する紐状材料を固定する。固定の方法は、引張部材１４に引っ張り力が掛かった時に外れないように強固に固定できればどのような方法でもよい。本実施例１では板状材料１１０Ａが厚紙で、引張部材１４が合成繊維製の紐であることから、種々の方法を用いることができる。例えば、引張部材１４の一端を接着剤や接着テープで先端１１ａに接着する、引張部材１４と先端１１ａの接着部を周囲から接着剤や接着テープで覆って固定する、先端１１ａ付近に孔を明けて引張部材１４の端を結び付ける、等の方法がある。【００５７】  次に、図３（ｂ）に示されるように、板状材料１１０Ａを折り線１１ｂ、１１ｃ、１１ｄ、１１ｅ、１１ｆ、１３ｃ、１３ｄに沿って折っていく。すなわち、表側から見て、折り線１１ｃ、１１ｄ、１１ｅ、１１ｆを山折りし、折り線１１ｂ、１３ｃ、１３ｄを谷折りする。これによって、板状材料１１０Ａの本体部を構成する部分１１１が、図１に示されるように立体的な構造に折り曲げ加工される。【００５８】  次に、図４（ａ）及び（ｂ）に示されるように、板状材料１１０Ａの先端１１ａに固定された引張部材１４を、一対の把持部となる部分１１３Ａと１１３Ｂの間を通してから、２つの貫通孔１２ｃ、１２ｄを貫通させる。このように引張部材１４を先端１１ａに固定して２つの貫通孔１２ｃ、１２ｄを通すことによって、引張部材１４を引っ張った時に、ページ押さえ部１２Ａ、１２Ｂが開かれた左右のページの表面に密着する。【００５９】  ページ押さえ部１２Ａ、１２Ｂで左右のページを押さえるという目的のためには、貫通孔１２ｃ、１２ｄを通す構成とせず、引張部材１４を貫通孔１２ｃに相当する位置に直接接続するだけでもよい。この場合には、本体部のうち折り線１１ｅ、１１ｆより上側の、先端１１ａを含む部分は不要となる。すなわち、板状材料は、折り線１１ｅ及び１１ｆを上端とする外郭に沿って厚紙等を切り抜いて作製される。【００６０】  これに対して、本実施例１のブックストッパー１０では、先端１１ａに引張部材１４を固定するとともに、先端１１ａにつながる折り線１１ｂを谷折りすることを特徴としている。これにより、引張部材１４を引っ張ると折り線１１ｂの谷折りでページ押さえ部１２Ａ、１２Ｂの中心線が押され、書籍の綴じ目に向けて突出する。すなわち、ページ押さえ部１２Ａ、１２Ｂの下面が、開かれた左右のページの表面に沿った形状となる。ゆえに、ページ押さえ部１２Ａ、１２Ｂが開かれた左右のページの表面に密着して、より確実に押さえることができる。【００６１】  このようにして作製した本実施例１に係るブックストッパー１０の使用方法について、図５及び図６を参照して説明する。図５及び図６は、実施例１に係るブックストッパー１０の使用方法を説明する図である。【００６２】  図５（ａ）に示されるように、まず、書籍Ｂ０のページが開かれた箇所ＢＣの、左右のページＢＬ、ＢＲの下のページとページの間に、ブックストッパー１０の左右の把持部１３Ａ、１３Ｂを挟み込ませる。これにより、ブックストッパー１０が支持部１３で書籍Ｂ０に取り付けられる。【００６３】  次に、図５（ｂ）に示されるように、引張部材１４を図の下方に引っ張る。すると、本体部１１が支持部１３に対して屈曲して、ページ押さえ部１２Ａ、１２Ｂが開かれた左右のページＢＬ、ＢＲを押さえつける。【００６４】  そして、図６（ａ）に示されるように、引張部材１４を引っ張りながら、係留部１５をページが開かれた箇所ＢＣの下端に食い込ませる。これにより、引張部材１４が引っ張り力を保持した状態で、係留部１５でページが開かれた箇所ＢＣの下端に係留される。したがって、ページ押さえ部１２Ａ、１２Ｂによる開かれた左右のページＢＬ、ＢＲを押さえる押圧力が維持される。このようにして本実施例１に係るブックストッパー１０を用いることにより、書籍Ｂ０のページが開かれた状態を保持することができる。【００６５】  書籍Ｂ０を開いた状態でページから手を離してメモをとる等の作業をする場合には、このようにブックストッパー１０を用いて書籍Ｂ０のページが開かれた状態を保持すればよい。また、途中で書籍Ｂ０を閉じる場合には、係留部１５を外して引張部材１４を緩めれば、ページ押さえ部１２Ａ、１２Ｂ及び本体部１１全体を閉じることができる。これにより、ブックストッパー１０を���おりとして用いることができる。【００６６】  また、書籍Ｂ０を読み進む場合には、図６（ｂ）に示されるように、一旦係留部１５を外して引張部材１４を緩め、ブックストッパー１０の本体部１１を持ち上げて次のページＢ１を繰ればよい。こうしてブックストッパー１０を用いることにより、ページを開いた状態を保持しながら手間を掛けずに書籍Ｂ０を読み進めることができる。このように本実施例１に係るブックストッパー１０は、確実にページが開かれた状態を保持できるだけでなく、操作性にも優れている。【００６６】  なお、本実施例１においては、引張部材１４の先端部分を係留部１５として、ページが開かれた箇所ＢＣの下端に食い込ませ、引張部材１４を構成する紐状材料の摩擦力により書籍Ｂ０に係止している。これに対して、引張部材１４を構成する紐状材料の材質や太さにより摩擦力が不足する場合には、例えば、引張部材１４の先端部分に結び目を作って係留部１５とすることができる。また、引張部材１４の先端部分に輪ゴム等を巻き付けて係留部１５を構成してもよい。
【実施例２】
【００６７】  次に、本発明に係るブックストッパーの実施例２について、図７を参照して説明する。図７は、本発明の実施例２に係るブックストッパーの作製用材料を示す平面図である。【００６８】  図７に示されるように、本実施例２のブックストッパーの作製用材料２０は、本体部を構成する部分２１と、支持部を構成する部分２３と、引張部材２４と、係留部２５とを有する。本実施例２の作製用材料２０が図２（ａ）に示される実施例１の作製用材料１１０と異なるのは、本体部を構成する部分２１の輪郭が三角形である点と、本体部を構成する部分２１及び支持部を構成する部分２３だけでなく引張部材２４と係留部２５もこれらの部分と一体に形成されている点である。これらの各部分の材料としては折り紙が用いられている。【００６９】  本体部を構成する部分２１の表面には、折り線２１ｂ、２１ｃ、２１ｄ、２１ｅ、２１ｆ、２３ｃ、２３ｄが描かれている。破線で示される折り線２１ｃ、２１ｄ、２１ｅ、２１ｆは山折り線であり、一点鎖線で示される折り線２１ｂ、２３ｃ、２３ｄは谷折り線である。さらに、本体部を構成する部分２１には、後述するようにして紐状にした引張部材２４を通すための２つの貫通孔２２ｃ及び２２ｄが設けられている。【００７０】  このような構成を有する作製用材料２０から、基本的に実施例１と同様の手順にしたがって本実施例２に係るブックストッパーが作製される。ただし、本実施例２に係る作製用材料２０では、本体部を構成する部分２１の先端２１ａに引張部材２４が一体に形成されているため、引張部材２４を固定する手順は必要がない。すなわち、本実施例２のブックストッパーの作製用材料２０は、折り紙を図７に示される輪郭に沿って切り抜くだけで製造することができる。このため製造工程が極めて簡略化され、大量生産に適したものとなる。【００７１】  本実施例２に係るブックストッパーは、実施例１と同様に、折り線２１ｃ、２１ｄ、２１ｅ、２１ｆを山折りし、折り線２１ｂ、２３ｃ、２３ｄを谷折りして作製する。これによって、本体部を構成する部分２１が立体的な構造となり、折り線２１ｅ、２１ｆ、２３ｃ、２３ｄで囲まれた二等辺三角形の部分が、左右のページ押さえ部２２Ａ、２２Ｂを構成する。【００７２】  次に、本体部を構成する部分２１の先端２１ａから延びる引張部材２４を、紙縒りを作るように捩ることによって細い紐状にする。引張部材２４は折り紙で形成されているので、容易に捩って細くすることができる。そして、引張部材２４を、一対の把持部となる部分２３Ａと２３Ｂの間を通してから、２つの貫通孔２２ｃ、２２ｄを貫通させる。これにより、実施例１と同様に、引張部材２４を引っ張った時に、ページ押さえ部２２Ａ、２２Ｂを開かれた左右のページに密着させて押さえることができる。【００７３】  このように、本実施例２に係るブックストッパーは、実施例１に係るブックストッパー１０と同様に、書籍の開かれた左右のページを確実に押さえることができ、しおりとしても用いることができ、また読み進む際にも優れた操作性を有する。さらに、本実施例２に係るブックストッパーは、作製用材料２０の段階において引張部材２４が本体部を構成する部分２１と一体に形成されている���したがって、作製手順が簡略化され、より容易に作製できるという特長をも有する。【００７４】  また、本実施例２に係るブックストッパーは、本体部を構成する部分２１の輪郭が、実施例１の五角形と異なり二等辺三角形である。このように、本発明に係るブックストッパーにおいては、本体部の外形は実施例１の五角形に限られるものではなく、本実施例２の三角形を始めとして、種々の形状とすることができる。さらに、ページ押さえ部による左右の押圧力をより均等にするためには、実施例１及び２のように左右対称の五角形や三角形であることが好ましいが、必ずしも左右対称の形状に限定されるものではない。
【実施例３】
【００７５】  次に、本発明に係るブックストッパーの実施例３について、図８を参照して説明する。図８は、本発明の実施例３に係るブックストッパーの作製用材料を示す平面図である。【００７６】  図８に示されるように、本実施例３のブックストッパーの作製用材料３０は、本体部を構成する部分３１と、支持部を構成する部分３３と、引張部材３４と、係留部３５とを有する。本実施例３のブックストッパーの作製用材料３０が実施例１の作製用材料１１０及び実施例２の作製用材料２０と異なるのは、本体部を構成する部分３１の輪郭が六角形である点と、引張部材３４が、本体部を構成する部分３１及び支持部を構成する部分３３と一体に形成され、さらにスライド可能な係留部３５を有する点である。【００７７】  係留部３５は引張部材３４にスライド可能で、かつスライドさせた箇所において引張部材３４に係止される必要がある。本実施例３では摩擦力により係留部３５が引張部材３４に対して係止されるように、作製用材料３０がある程度の弾性を有する合成樹脂材料から形成されている。さらに、作製用材料３０は、ページ押さえ部３２Ａ及び３２Ｂで押さえられた書籍の部分も判読できるように、透明な合成樹脂材料で形成されている。【００７８】  このような合成樹脂材料としては、アクリル樹脂、ポリエチレン樹脂、ポリプロピレン樹脂、ポリカーボネート樹脂、ポリ塩化ビニル樹脂等が用いられる。引張部材３４の断面形状は、本体部を構成する部分３１等と一体に合成樹脂の板から切り出して製造する場合には長方形となる。また、作製用材料３０を合成樹脂の射出成形により一体に製造する場合は、成形型のキャビティ形状に対応する任意の形状にできる。引張部材３４は後述する貫通孔３２ｃ、３２ｄを貫通させることから、円形又は楕円形の断面形状を有することが好ましい。【００７９】  作製用材料３０の本体部を構成する部分３１の表面には、実施例１及び２と同様に、破線で示される山折り線３１ｃ、３１ｄ、３１ｅ、３１ｆと一点鎖線で示される谷折り線３１ｂ、３３ｃ、３３ｄが描かれ、２つの貫通孔３２ｃ、３２ｄが設けられている。この作製用材料３０から、実施例１及び２と同様の手順で本実施例３に係るブックストッパーが作製される。すなわち、折り線３１ｃ、３１ｄ、３１ｅ、３１ｆを山折りし、折り線３１ｂ、３３ｃ、３３ｄを谷折りして折り曲げ加工する。これによって、本体部を構成する部分３１が立体的な本体部となり、左右一対のページ押さえ部３２Ａ、３２Ｂが形成される。【００８０】  次に、引張部材３４を一対の把持部となる部分３３Ａと３３Ｂの間を通してから、２つの貫通孔３２ｃ及び３２ｄに貫通させる。この時、係留部３５、引張部材３４から外しておく。２つの貫通孔３２ｃ及び３２ｄを貫通させた後に、引張部材３４の先端を係留部３５の構成部材３５ａ及び３５ｂの間に通して取り付ける。これにより、実施例１及び２と同様に、引張部材３４を引っ張った時にページ押さえ部３２Ａ及び３２Ｂを左右のページに密着させることができる。【００８１】  このように、本実施例３に係るブックストッパーは、書籍の開かれた左右のページを確実に押さえることができ、しおりとしても用いることができ、また読み進む際にも優れ���操作性を有する。また、本実施例３に係るブックストッパーは、作製用材料３０の段階において引張部材３４が本体部を構成する部分３１と一体に形成されている。したがって、作製手順が簡略化され、より容易に作製できるという特長をも有する。【００８２】  さらに、本実施例３に係るブックストッパーは、係留部３５が引張部材３４にスライド可能に取り付けられる。したがって、引張部材３４を引っ張って左右のページを押さえた状態で、係留部３５の位置を調節しながら引張部材３４を書籍に係留できる。これにより、最適な位置において係留部３５で引張部材３４を係留してページ押さえ部３２Ａ、３２Ｂによる押圧力を保持できる。
【実施例４】
【００８３】  次に、本発明に係るブックストッパーの実施例４について、図９を参照して説明する。図９は、本発明の実施例４に係るブックストッパーの作製用材料の一部を示す平面図である。【００８４】  図９に示されるように、本実施例４のブックストッパーの作製用材料４０は、本体部を構成する部分４１と、支持部を構成する部分４３と、引張部材４４と、係留部４５とを有する。本実施例４のブックストッパーの作製用材料４０が図２（ａ）に示される実施例１の作製用材料１１０と異なるのは、本体部を構成する部分４１のページ押さえ部４２Ａ及び４２Ｂが、補強材４６Ａ及び４６Ｂにより補強されている点である。【００８５】  本実施例４のブックストッパーの作製用材料４０は、本体部を構成する部分４１及び支持部を構成する部分４３が布地によって一体に形成されている。この布地の表面に、補強材４６Ａ及び４６Ｂとして、図９に示される形状を有する硬質プラスチック板が接着されている。本体部を構成する部分４１の先端４１ａには、紐状の部材からなる引張部材４４が接着剤で固定されている。【００８６】  本体部を構成する部分４１には、実施例１から３までと同様に、破線で示される山折り線４１ｃ、４１ｄ、４１ｅ、４１ｆと一点鎖線で示される谷折り線４１ｂ、４３ｃ、４３ｄが描かれ、引張部材４４を通すための２つの貫通孔４２ｃ及び４２ｄが設けられている。このような構成を有する作製用材料２０から、実施例１から３までに説明した作製方法と同様の手順にしたがって、本実施例４に係るブックストッパーが作製される。【００８７】  このように、本実施例４に係るブックストッパーは、実施例１から３と同様に、書籍の開かれた左右のページを確実に押さえることができ、しおりとしても用いることができ、読み進む際にも優れた操作性を有する。さらに、本実施例４に係るブックストッパーは、ページ押さえ部４２Ａ及び４２Ｂが、硬質プラスチック板の補強材４６Ａ及び４６Ｂにより補強されている。したがって、本体部及び支持部を構成する材料として柔らかい布材を用いても、ページ押さえ部４２Ａ及び４２Ｂによる押圧力を確保できるという特長を有する。
【実施例５】
【００８８】  次に、本発明に係るブックストッパーの実施例５について、図１０を参照して説明する。図１０は、本発明の実施例５に係るブックストッパーの全体構成を示す斜視図である。【００８９】  図１０に示されるように、本実施例５のブックストッパー５０は、支持部５３がブックカバーになっている。支持部５３としてのブックカバーは、本体部５１と一体に形成されている。本体部５１及び支持部５３を形成する材料は、通常のブックカバーに用いられる素材、例えば透明又は半透明の塩化ビニル系プラスチックシート材や、柔軟性を有する紙材料等でもよく、その他の材料でもよい。【００９０】  本体部５１の表面には、折り線５１ｂ、５１ｃ、５１ｄ、５１ｅ、５１ｆ、５３ｃ、５３ｄが描かれている。これらの折り線に沿って作製用材料を折り曲げ加工することにより本体部５１が立体的に作製されている。また、一体に形成された本体部５１と支持部５３のブックカバーとを区画する折り線５３ｃ、５３ｄに沿って、谷折りの折目が付けられる。これによって、ブックストッパー５０の本体部５１は、支持部５３のブックカバーに対して、図１０における手前側に屈曲自在となっている。【００９１】  引張部材５４は、複数本の合成繊維の束からなる紐状の部材である。その一端は本体部５１の先端５１ａに固定され、他端は本体部５１に設けられた２つの貫通孔５２ｃ、５２ｄに通されて、前面に取り出されている。この引張部材５４を構成する紐状の部材の先端部分５５が、そのまま係留部としての役割を果たす。【００９２】  このような構成を有するブックストッパー５０は、図１０に示されるブックカバーの左右のスリーブ５３Ａ、５３Ｂに書籍の表紙が挿入されることにより、書籍に取り付けられる。そして引張部材５４を図１０の下方に引っ張ると、本体部５１が図１０における手前側に屈曲して、ページ押さえ部５２Ａ及び５２Ｂによって書籍の開かれた左右のページが押さえつけられる。引張部材５４を引っ張りながら、係留部５５をページが開かれた箇所に食い込ませて係留すれば、書籍のページが開かれた状態を保持することができる。【００９３】  このように、本実施例５のブックストッパー５０は支持部５３がブックカバーであるため、本体部５１が書籍に対してより強固に取り付けられ、本体部５１に強い引っ張り力が掛かっても支持部５３が書籍から外れる恐れがない。また、本体部５１の位置が書籍に対してずれることもない。したがって、引張部材５４をより強い力で引っ張ってページ押さえ部５２Ａ、５２Ｂで書籍の開かれたページを押さえることができる。これにより、開かれた箇所がより強力に押さえられて、ページ数の多い厚い書籍でも開かれた状態を確実に保持することができる。
【実施例６】
【００９４】  次に、本発明に係るブックストッパーの実施例６について、図１１を参照して説明する。図１１は、本発明の実施例６に係るブックストッパーの作製用材料を示す平面図である。【００９５】  図１１に示されるように、本実施例６のブックストッパーの作製用材料６０は、本体部を構成する部分６１と、この本体部を構成する部分６１から作製される本体部を図示しない支持介在部に取り付けるための取り付け部６６Ａ、６６Ｂとからなる。支持介在部とは書籍に直接取り付けられるものであり、この支持介在部に取り付け部６６Ａ、６６Ｂが固定されることにより、ブックストッパーの本体部が書籍に取り付けられる。したがって、本実施例６のブックストッパーにおいては、取り付け部６６Ａ、６６Ｂが本発明における支持部に相当する。【００９６】  本実施例６では、本体部が支持部を介して取り付けられる支持介在部としてブックカバーを想定している。しかし、支持介在部はブックカバーに限られるものではない。例えば、実施例１から４までのように、一対の把持部１３Ａと１３Ｂ、２３Ａと２３Ｂ、３３Ａと３３Ｂ、４３Ａと４３Ｂで構成される支持部１３、２３、３３、４３を支持介在部として、これに本体部を取り付けてもよい。【００９７】  取り付け部６６Ａ、６６Ｂは、本体部を構成する部分６１と一体になっている基板６６ｃ、６６ｄと、基板６６ｃ、６６ｄに留め具６６ｇ、６６ｈで固定されたクリップ６６ｅ、６６ｆからなる。基板６６ｃ、６６ｄは硬度を有する材料、例えば金属からなる板であることが好ましい。留め具６６ｇ、６６ｈとしてはリベット、ねじ、ボルト等が用いられる。一対のクリップ６６ｅ、６６ｆで支持介在部となる部材を挟むことにより、本体部を構成する部分６１が、支持介在部を介して書籍に取り付けられる。【００９８】  本体部を構成する部分６１に描かれた折り線６１ｂ、６１ｃ、６１ｄ、６１ｅ、６１ｆ、６３ｃ、６３ｄに沿って作製用材料を折り曲げ加工して、本体部が立体的に作製される。引張部材６４の一端は本体部を構成する部分６１の先端６１ａに固定され、他端は２つの貫通孔６２ｃ及び６２ｄに通される。これによって、実施例１から５までと同様に、引張部材６４を引っ張った時にページ押さえ部６２Ａ及び６２Ｂを開かれた左右のページに密着させることができる。【００９９】  このような構成を有するブックストッパーの本体部が、一対のクリップ６６ｅ、６６ｆで支持介在部となる部材に取り付けられる。支持介在部としては、市販のブックカバーをそのまま用いることができる。ブックカバーを支持介在部として用いることによって、本体部に強い引っ張り力が掛かっても書籍から外れるおそれがなく、本体部の位置が書籍に対してずれることもないという利点が得られる。【０１００】  本実施例６のブックストッパーにおいては、図１０に示される実施例５のようにブックカバーと本体部とを一体に形成することなく、ブックカバーを支持部本体として用いることができる。したがって、本実施例６のブックストッパー６０においては、上述したブックカバーによる利点を、容易な構成によって享受することができる。
【実施例７】
【０１０１】  次に、本発明に係るブックストッパーの実施例７について、図１２を参照して説明する。図１２は、本発明の実施例７に係るブックストッパーの全体構成を示す斜視図である。【０１０２】  図１２に示されるように、本実施例７のブックストッパー７０は、支持部７６がブックカバーＢＫに取り付けられる。すなわち、ブックストッパー７０は、上記実施例６のブックストッパーと同様にブックカバーＢＫを支持介在部として用いている。本体部７１と支持部７６は、シート状部材、例えば厚紙や折り紙により一体に形成されている。【０１０３】  実施例１から６までと同じく、折り線７１ｂ、７１ｃ、７１ｄ、７１ｅ、７１ｆ、７３ｃ、７３ｄに沿って作製用材料を折り曲げ加工することにより、本体部７１が立体的に作製されている。また、紐状の引張部材７４が本体部７１の先端７１ａに固定され、他端が２つの貫通孔７２ｃ、７２ｄに通されて前面に取り出され、引張部材７４の先端部分がそのまま係留部７５としての役割を果たす。【０１０４】  支持部７６は、左右の突出部７６Ａ、７６Ｂを有する。これらの突出部７６Ａ、７６Ｂが、図１２に示されるようにブックカバーＢＫの左右のスリーブＢＫａ、ＢＫｂに差し込まれることにより、本体部７１がブックカバーＢＫに固定される。書籍の表紙がこれらのスリーブＢＫａ、ＢＫｂに差し込まれることで、本体部７１が支持部７６及びブックカバーＢＫを介して書籍に取り付けられる。【０１０５】  また、折り線７３ｃ、７３ｄに沿って折目が付けられて、本体部７１がブックカバーＢＫに対して図１２の手前側に屈曲自在となっている。引張部材７４を図１２の下方に引っ張ると、本体部７１が屈曲して、ページ押さえ部７２Ａ及び７２Ｂによって書籍の開かれた左右のページが押さえつけられる。引張部材７４を引っ張りながら、係留部７５を書籍のページが開かれた箇所に食い込ませて係留すれば、書籍のページが開かれた状態を保持できる。【０１０６】  このような構成を有するブックストッパー７０は、平面のシート状材料から容易に作製することができ、簡単にブックカバーＢＫに取り付けることができる。突出部７６Ａ、７６Ｂの左右方向の幅及び縦方向の長さを適切に設定すれば、種々のサイズのブックカバーＢＫに対して取り付け可能になる。したがって、市販されている種々のブックカバーをそのまま用いることができる。【０１０７】  前述した実施例６と同じく、ブックカバーを支持介在部として用いることにより、本体部７１に強い引っ張り力が掛かっても書籍から外れるおそれがなく、本体部７１の位置が書籍に対してずれることもない。本実施例７のブックストッパー７０においては、ブックカバーによるこのような利点を容易な構成によって享受することができる。【０１０８】  上記の各実施例においては、図２、図７から図９まで、及び図１１に示されるパターンで描かれた折り線に沿って、作製用材料を折り曲げて本体部を作製する場合について説明した。本体部は、これらの各実施例で図示されたパターンの折り線に限られず、それ以外の種々の折り線に沿った折り曲げ加工によっても作製できる。特に引張部材を取り付ける箇所に応じて、引っ張ったときにページ押さえ部が効果的にページを押さえら��るように作製されていればよい。【０１０９】  また、上記の各実施例においては引張部材を２つの貫通孔に通す場合について説明したが、実施例１の図４の説明でも述べたようにこのような貫通孔のない構成としてもよい。さらに、本体部の作製は、このような平面状の材料を折り曲げ加工する方法に限られるものではなく、ページ押さえ部を形成できるものであれば、どのような材料や作製方法を用いてもよい。【０１１０】  以上、本発明の実施の形態及び実施例について説明したが、本発明は上記の実施の形態及び実施例によって限定されるものではない。本発明は、本発明の広義の精神と範囲を逸脱することなく、様々な実施の形態及び変形が可能とされるものである。
【産業上の利用可能性】
【０１１１】  本発明は、書籍のページを押さえる効果が大きく、書籍の厚さに関わらず安定して使用できるブックストッパーを提供することができる。さらに、本発明のブックストッパーは、しおりとしての役割も兼ねることができ、書籍を読み進む際の操作性も良好である。
【符号の説明】
【０１１２】  １０、５０、７０  ブックストッパー
１１、５１、７１  本体部
１１ａ、２１ａ、３１ａ、４１ａ、５１ａ、６１ａ、７１ａ  本体部先端
１１ｂ、１１ｃ、１１ｄ、１１ｅ、１１ｆ、１３ｃ、１３ｄ、２１ｂ、２１ｃ、２１ｄ、２１ｅ、２１ｆ、２３ｃ、２３ｄ、３１ｂ、３１ｃ、３１ｄ、３１ｅ、３１ｆ、３３ｃ、３３ｄ、４１ｂ、４１ｃ、４１ｄ、４１ｅ、４１ｆ、４３ｃ、４３ｄ、５１ｂ、５１ｃ、５１ｄ、５１ｅ、５１ｆ、５３ｃ、５３ｄ、６１ｂ、６１ｃ、６１ｄ、６１ｅ、６１ｆ、６３ｃ、６３ｄ、７１ｂ、７１ｃ、７１ｄ、７１ｅ、７１ｆ、７３ｃ、７３ｄ  折り線
１２Ａ、１２Ｂ、５２Ａ、５２Ｂ、７２Ａ、７２Ｂ  ページ押さえ部
１２ｃ、１２ｄ、２２ｃ、２２ｄ、３２ｃ、３２ｄ、４２ｃ、４２ｄ、５２ｃ、５２ｄ、６２ｃ、６２ｄ、７２ｃ、７２ｄ  貫通孔
１３、５３、７６  支持部
１３Ａ、１３Ｂ  挟持部
１４、２４、３４、４４、５４、６４、７４  引張部材
１５、２５、３５、４５、５５、６５、７５  係留部
２０、３０、４０、６０、１１０  ブックストッパーの作製用材料
２１、３１、４１、６１、１１１  本体部を構成する部分
２２Ａ、２２Ｂ、３２Ａ、３２Ｂ、４２Ａ、４２Ｂ、６２Ａ、６２Ｂ、１１２Ａ、１１２Ｂ  ページ押さえ部となる部分
２３、３３、４３、６６Ａ、６６Ｂ、１１３  支持部を構成する部分
２３Ａ、２３Ｂ、３３Ａ、３３Ｂ、４３Ａ、４３Ｂ、６６ｃ、６６ｄ、１１３Ａ、１１３Ｂ  把持部となる部分
３５ａ、３５ｂ  係留部の構成部材
４６Ａ、４６Ｂ  補強材
５３Ａ、５３Ｂ、ＢＫａ、ＢＫｂ  ブックカバーのスリーブ
６６ｅ、６６ｆ  クリップ
６６ｇ、６６ｈ  留め具
７６Ａ、７６Ｂ  突出部
１１０Ａ  板状材料
１１０Ｂ  紐状材料
Ｂ０  書籍
Ｂ１  次のページ
ＢＣ  書籍のページが開かれた箇所
ＢＫ  ブックカバー
ＢＬ、ＢＲ  開かれた箇所の左右のページ
【要約】
【課題】書籍の開かれた箇所にセットするだけで開かれた状態を確実に保持することができ、読み進む際の操作性にも優れ、種々の材料で容易に作製できる、しおり兼用のブックストッパーを提供する。
【解決手段】ブックストッパー１０は本体部１１と支持部１３と紐状部材１４とを有し、本体部１１と支持部１３は厚紙で一体に形成され、本体部１１は左右のページ押さえ部１２Ａ、１２Ｂを備える。ページが開かれた箇所ＢＣの、左右のページＢＬ、ＢＲより下のページ間に把持部１３Ａ、１３Ｂを挟むことで書籍Ｂ０に取り付けられ、引張部材１４を引っ張ると本体部１１が屈曲してページ押さえ部１２Ａ、１２Ｂで左右のページＢＬ、ＢＲが押さえつけられる。引張部材１４を引っ張りながら係留部１５をページが開かれた箇所ＢＣの下端に食い込ませて係留すれば、書籍Ｂ０のページが開かれた状態を保持することができる。
【選択図】図１【図１】
0006829531.tif 000002
【図２】
0006829531.tif 000003
【図３】
0006829531.tif 000004
【図４】
0006829531.tif 000005
【図５】
0006829531.tif 000006
【図６】
0006829531.tif 000007
【図７】
0006829531.tif 000008
【図８】
0006829531.tif 000009
【図９】
0006829531.tif 000010
【図１０】
0006829531.tif 000011
【図１１】
0006829531.tif 000012
【図１２】
0006829531.tif 000013